(57)【要約】【課題】  内容物を充填後、口筒部の天面にシール材を貼着した上からキャップを装着する容器本体であっても、シール材と干渉することなく容器本体に装着できる吐出調整機構を備えるキャップを提供すること。【解決手段】  容器本体Ｄの口筒部１に装着されるキャップ本体Ａと、キャップ本体Ａに開閉可能に装着される蓋体Ｂとからなるキャップであって、キャップ本体Ａは、口筒部１開口を閉塞する基壁４と、基壁４の内側に設けられる吐出部５とを備え、吐出部５は、基壁４から内方に隆起する隆起壁１０と、隆起壁１０の内縁から立設される吐出筒１１と、吐出筒１１の下方に設けられる吐出調整機構１２とを備え、吐出調整機構１２は、調整開口部１６が開口される周壁１５と、周壁１５の下端を閉塞し、下面が基壁４の下面以上の高さにある底壁１４とを備えることを特徴とする。【選択図】  図１
2019038607.tif 000002
【特許請求の範囲】
【請求項１】
容器本体の口筒部に装着されるキャップ本体と、キャップ本体に開閉可能に装着される蓋体とからなるキャップであって、
キャップ本体は、口筒部開口を閉塞する基壁と、基壁の内側に設けられる吐出部とを備え、
吐出部は、基壁から内方に隆起する隆起壁と、隆起壁の内縁から立設される吐出筒と、吐出筒の下方に設けられる吐出調整機構とを備え、
吐出調整機構は、調整開口部が開口される周壁と、周壁の下端を閉塞し、下面が基壁の下面以上の高さにある底壁とを備えることを特徴とするキャップ。
【請求項２】
吐出部は、隆起壁と吐出調整機構の周壁との間に形成される流入空間を備え、
流入空間の下面の水平投影面積は、吐出調整機構の調整開口部の合計開口面積とほぼ同等であることを特徴とする請求項１に記載のキャップ。
【請求項３】
容器本体は、口筒部から連続するスクイズ可能な胴部と、口筒部天面に貼着されるシール材とを備えることを特徴とする請求項１または２に記載のキャップ。
【請求項４】
キャップは、キャップ本体と蓋体とがヒンジを介して連設されるヒンジキャップであることを特徴とする請求項１〜３のいずれかに記載のキャップ。
【発明の詳細な説明】
【技術分野】
【０００１】
本発明は、容器の口筒部に装着されるキャップに関し、とくに吐出調整機構を備えるキャップに関するものである。
【背景技術】
【０００２】
内容物として比較的粘度の高いお好みソースやマヨネーズなどを収容する容器において、容器本体の胴部を可撓性のあるスクイズ可能なものとし、容器本体の口筒部に、蓋体と、蓋体を開閉自在に装着したキャップ本体とからなるキャップを装着し、内容物使用時に、容器本体の胴部をスクイズ（押圧）することにより、内容物をキャップ本体の吐出口から吐出させるようにした容器は、従来から知られている。
また、内容物が出過ぎたり、思わぬ方向に内容物が飛び出したりすることを防ぐために、内容物の吐出量を安定させる吐出調整機構を備えるキャップも従来から知られている（例えば、特許文献１参照）。
【先行技術文献】
【特許文献】
【０００３】
【特許文献１】特許第５０８５３５７号公報
【発明の概要】
【発明が解決しようとする課題】
【０００４】
お好みソースやマヨネーズなどの内容物を収容する容器の場合、使用前の内容物の劣化などを防ぐため、容器本体内に内容物を充填後、口筒部の天面にシール材（アルミシール等）を貼着した上からキャップを装着している。
しかしながら、特許文献１記載のキャップでは、吐出調整機構が容器本体の口筒部の内方に位置するようになっているため、キャップを容器本体のシール材が貼着された口筒部に装着しようとしても、吐出調整機構の底壁がシール材と干渉し、キャップの装着を妨げ、さらには、シール材を破ってしまうという問題があり、口筒部にシール材を貼着した上からキャップを装着する容器本体には、吐出調整機構を備えたキャップを装着できなかった。
【０００５】
本発明は、上記問題を解決することを課題とし、内容物を充填後、口筒部の天面にシール材を貼着した上からキャップを装着する容器本体であっても、シール材と干渉することなく容器本体に装着できる吐出調整機構を備えるキャップを提供することを目的とする。
【課題を解決するための手段】
【０００６】
本発明は、上記の課題を解決するため、キャップとして、容器本体の口筒部に装着されるキャップ本体と、キャップ本体に開閉可能に装着される蓋体とからなるキャップであって、キャップ本体は、口筒部開口を閉塞する基壁と、基壁の内側に設けられる吐出部とを備え、吐出部は、基壁から内方に隆起する隆起壁と、隆起壁の内縁から立設される吐出筒と、吐出筒の下方に設けられる吐出調整機構とを備え、吐出調整機構は、調整開口部が開口される周壁と、周壁の下端を閉塞し、下面が基壁の下面以上の高さにある底壁とを備えることを特徴とする構成を採用する。
【０００７】
本発明のキャップの実施形態として、吐出部は、隆起壁と吐出調整機構の周壁との間に形成される流入空間を備え、流入空間の下面の水平投影面積は、吐出調整機構の調整開口部の合計開口面積とほぼ同等であることを特徴とする構成を採用し、また、容器本体は、口筒部から連続するスクイズ可能な胴部と、口筒部天面に貼着されるシール材とを備えることを特徴とする構成を採用する。
本発明のキャップの具体的実施形態として、キャップは、キャップ本体と蓋体とがヒンジを介して連設されるヒンジキャップであることを特徴とする構成を採用する。
【発明の効果】
【０００８】
本発明のキャップは、上記構成を採用することにより、口筒部の天面にシール材が貼着された容器本体であっても、キャップ本体に設けられる吐出調整機構がシール材と干渉することなく、容器本体にキャップを装着することができる。
また、本発明のキャップでは、吐出部は、隆起壁と吐出調整機構の周壁との間に形成される流入空間を備え、流入空間の下面の水平投影面積は、吐出調整機構の調整開口部の合計開口面積とほぼ同等であることにより、比較的粘度の高い内容物を安定してキャップ本体の吐出口から吐出することができる。
【図面の簡単な説明】
【０００９】
【図１】本実施形態のキャップを装着した容器の閉蓋状態の側面断面図である。
【図２】本実施形態のキャップの開蓋状態を示す図であり、（ａ）は上面図、（ｂ）は側面図である。
【図３】本実施形態のキャップの開蓋状態を示す図であり、（ａ）は側面断面図、（ｂ）は下面図である。
【図４】本実施形態のキャップを装着した容器の使用時の説明図である。
【発明を実施するための形態】
【００１０】
次に、本発明のキャップについて、図面を参照して説明する。
図１において、Ａは容器本体Ｄに装着されるキャップ本体、Ｂはキャップ本体ＡにヒンジＣを介して開閉可能に取り付けられる蓋体である。
なお、以下の説明において、図１でみて、右方向を「背面（ヒンジ）側」とし、左方向を「正面（ヒンジと反対）側」とし、上方向を「上」とし、下方向を「下」とする。
【００１１】
図１に示すように、容器本体Ｄは、円筒状の口筒部１と、口筒部１下端から連続するスクイズ可能な胴部とから構成され、口筒部１の外周面には、キャップ本体Ａと螺合する雄ねじ部２が形成されている。
また、容器本体Ｄの口筒部１の天面には、内容物の充填後に、容器本体Ｄ内を密封するシール材Ｓが貼着される。
【００１２】
図１〜３に示すように、キャップ本体Ａは、容器本体Ｄの口筒部１の外周に装着される外周壁３と、外周壁３の上端から内方に延設され、口筒部１の開口を封鎖するリング状の基壁４と、基壁４の内側に設けられる吐出部５とから構成されている。
【００１３】
外周壁３は、内周面に、容器本体Ｄの口筒部１に形成された雄ねじ部２と螺合する雌ねじ部６が形成され、外周には、上端部の背面側にヒンジＣが連設され、正面（ヒンジＣと反対）側の上部には、指掛け凹部７が凹設されている。
また、外周壁３は、外周面を手指で把持し易いように平面視で１６角形状に形成されている。
【００１４】
基壁４は、外周に、後述する蓋体Ｂの蓋外周壁２１の下端面と閉蓋時に当接する蓋当接段部８が形成され、基壁４の下面には、容器本体Ｄの口筒部１の天面に当接するコンタクトリング９が垂設されている。
吐出部５は、基壁４の内周から内方に向かって隆起する円錐台形状の隆起壁１０と、隆起壁１０の内縁から立設される円筒状の吐出筒１１と、吐出筒１１の下方に設けられる逆円錐台形状の吐出調整機構１２とから構成されている。
隆起壁１０は、本実施形態では、稜線が直線状の円錐台形状に形成されているが、稜線が外方に膨らんだり、稜線が内方に凹んだりするなど、隆起壁１０の断面形状は、必要に応じて変更できる。
吐出筒１１の外周上端には、蓋係合突部１３が周方向に沿って形成されている。
【００１５】
吐出調整機構１２は、吐出筒１１の下端から内方にわずかに傾斜して垂設される周壁１５と、周壁１５の下端を閉塞する底壁１４とから構成され、底壁１４の下面は、基壁４の下面以上の高さに設定されている。
吐出調整機構１２は、本実施形態では、キャップ本体Ａと一体化されているが、吐出調整機構１２は、別体とすることもできる。
本実施形態では、底壁１４は、水平な平板状であり、周壁１５は、内方にわずかに傾斜しているが、底壁１４を正面側から背面側に向かって下方へわずかに傾斜した平板とすることもでき、また、周壁１５を垂直にすることもできる。
周壁１５には、周方向に間隔をおいて複数の調整開口部１６が形成されており、本実施形態では、正面側と背面側の２箇所に調整開口部１６が形成されており、いずれも等間隔で、同一の開口面積を有している。
なお、調整開口部１６の数は、２〜４が好ましく、この範囲で必要に応じて設定することができる。
【００１６】
吐出部５には、隆起壁１０の下面と吐出調整機構１２の周壁１５との間に流入空間ａが形成される。
また、図３（ｂ）にハッチングで示すように、流入空間ａの下面には、隆起壁１０の周縁から内側の水平投影面積から底壁１４の下面の面積を除いた水平投影面積を有するリング状開口部ｂが形成されている。
流入空間ａの下面に形成されるリング状開口部ｂの水平投影面積は、周壁１５に形成される調整開口部１６の合計開口面積とほぼ同等に形成されている。
【００１７】
蓋体Ｂは、ヒンジＣを介してキャップ本体Ａの外周壁３の外周上端部に、回動自在に取着されており、平面視で１６角形状の頂壁２０と、頂壁２０の周縁部から垂設される蓋外周壁２１とから構成され、頂壁２０の下面には、吐出筒１１の外周と係合する係合筒壁２２と、係合筒壁２２の内側で吐出筒１１の内周に挿入され、吐出筒１１内を密封する密封リング２３とが垂設されている。
【００１８】
蓋外周壁２１は、外周下端部の背面側にヒンジＣが連設され、正面側の外周下部には、閉蓋時にキャップ本体Ａの指掛け凹部７と連続するように蓋指掛け凹部２４が凹設され、蓋指掛け凹部２４の上部には、指掛け部２５が設けられている。
【００１９】
蓋外周壁２１の外周面は、閉蓋時に外周壁３の外周面と連続する形状（１６角形状）に形成されている。
係合筒壁２２は、内周下部に、閉蓋時に吐出筒１１の外周に周設された蓋係合突部１３と係合し、閉蓋状態を維持する係合突部２６が設けられている。
【００２０】
次に、本実施形態の使用態様と作用効果について説明する。
本実施形態のキャップは、まず、容器本体Ｄ内にお好みソースやマヨネーズなど比較的粘度の高い内容物を充填後、口筒部１の天面にシール材Ｓを貼着して口筒部１の開口を密封する。
次に、蓋体Ｂを閉蓋したキャップ本体Ａの外周壁３を容器本体Ｄの口筒部１に螺合させて装着し、図１に示すように、使用前の容器とする。  
【００２１】
本実施形態のキャップは、キャップ本体Ａの吐出調整機構１２（底壁１４）の下面が基壁４の下面以上の高さにあるので、キャップ本体Ａを容器本体Ｄの口筒部１に装着する際に、吐出調整機構１２の下面が容器本体Ｄの口筒部１に貼着されたシール材Ｓと干渉することがなく、シール材Ｓの貼着された容器本体Ｄに吐出調整機構１２を備えるキャップを装着することができる。
また、流通時等の使用前に、容器本体Ｄの胴部が押され、シール材Ｓが内容物により外側に押されても、キャップ本体Ａの基壁４下面のコンタクトリング９がシール材Ｓに当接して押さえるとともに、吐出調整機構１２の底壁１４の下面がシール材Ｓの中央上面に当接して押さえるので、口筒部１からシール材Ｓが剥がれてしまうことを防止できる。
【００２２】
容器本体Ｄ内の内容物を最初に使用する際には、まず、キャップ本体Ａの外周壁３を把持して、容器本体Ｄに対して回転させ、キャップ本体Ａを螺脱することにより、キャップを容器本体Ｄから外す。
次に、容器本体Ｄの口筒部１からシール材Ｓを剥がして口筒部１を開口した後に、再度キャップ本体Ａを容器本体Ｄに螺合することにより、キャップを装着する。
【００２３】
閉蓋されたキャップを容器本体Ｄに装着した後、容器本体Ｄ内の内容物を吐出するには、蓋体Ｂの指掛け部２５に指を掛け、ヒンジＣを回動中心として押し上げ、蓋体Ｂをキャップ本体Ａから開蓋する。
キャップが開蓋された容器本体Ｄを吐出筒１１が下を向くように傾け、胴部をスクイズすることにより、図４に示すように、容器本体Ｄ内の内容物は、キャップ本体Ａのリング状開口部ｂ、流入空間ａ、吐出調整機構１２の調節開口部１６を通り、吐出筒１１の開口から外部に吐出される。
【００２４】
本実施形態のキャップは、容器本体Ｄの口筒部１の開口から吐出される内容物が、まず、吐出調整機構１２の底壁１４に衝突しながらリング状開口部ｂに流入するので、流入量を調整することができ、容器本体Ｄの胴部のスクイズし過ぎによる急な流入量の増加を防止できる。
また、調整開口部１６の合計開口面積は、流入空間ａの下面で形成されるリング状開口部ｂの水平投影面積とほぼ同等であるので、リング状開口部ｂの面積の方が狭いことによって、リング状開口部ｂで内容物が詰まることや、リング状開口部ｂの面積の方が広いことによって、流入空間ａ内に内容物が溜まることが無く、リング状開口部ｂから調整開口部１６内に内容物をスムーズに流入することができるので、吐出筒１１の開口から内容物をスムーズに吐出することができる。
【００２５】
本実施形態では、キャップ本体Ａの外周壁３および蓋体Ｂの蓋外周壁２１の外周面は、手で把持し易いように平面視で１６角形状に形成されているが、外周を把持して回転し易くできればよいので、外周面の形状は、ローレットや凹凸を付与するなど、どの様なものでもよく、本実施形態に限定されない。
【００２６】
また、本実施形態では、キャップ本体Ａと蓋体ＢとをヒンジＣを介して連設したヒンジキャップとしているが、キャップとして、キャップ本体Ａに蓋体Ｂが開閉自在に装着できればよいので、例えば、キャップ本体Ａの外周壁３の上部外周面に雄ねじ部を設け、蓋体Ｂの蓋外周壁２１の下部内周面に該雄ねじ部に螺合する雌ねじ部を設けたねじキャップとしてもよく、キャップの開閉機構は、本実施形態に限定されない。
【産業上の利用可能性】
【００２７】
本発明のキャップは、キャップ本体に、吐出量を調整する吐出調整機構を備えることによって、容器本体の胴部をスクイズし過ぎた場合でも、内容物が飛び出したりすることがなく、吐出量が緩やかに変化し、スムーズな状態で吐出される。
とくに、吐出調整機構は、キャップ本体の基壁の下面より下方に突出することがないので、内容物の充填時に容器本体の口筒部天面にシール材を貼着し、容器本体内を密封する容器のキャップとして好適である。
【符号の説明】
【００２８】
Ａ            キャップ本体
Ｂ            蓋体
Ｃ            ヒンジ
Ｄ            容器本体
Ｓ            シール材
ａ            流入空間
ｂ            リング状開口部
１            口筒部
２            雄ねじ部
３            外周壁
４            基壁
５            吐出部
６            雌ねじ部
７            指掛け凹部
８            蓋当接段部
９            コンタクトリング
１０            隆起壁
１１            吐出筒
１２            吐出調整機構
１３            蓋係合突部
１４            底壁
１５            周壁
１６            調整開口部
２０            頂壁
２１            蓋外周壁
２２            係合筒壁
２３            密封リング
２４            蓋指掛け凹部
２５            指掛け部
２６            係合突部
【図１】
2019038607.tif 000003
【図２】
2019038607.tif 000004
【図３】
2019038607.tif 000005
【図４】
2019038607.tif 000006